【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
導電性ナノ粒子および、（ａ）フッ素化酸ポリマーと（ｂ）フッ素化酸ポリマーでドープされた半導体ポリマーとの少なくとも一方を含み、４．７ｅＶを超える仕事関数を有することを特徴とする透明コンダクタ。
【請求項２】
導電性ナノ粒子および、（ａ）フッ素化酸ポリマーと（ｂ）非フッ素化高分子酸でドープされた半導体ポリマーとの少なくとも一方を含み、４．７ｅＶを超える仕事関数を有することを特徴とする透明コンダクタ。
【請求項３】
請求項１に記載の透明コンダクタを含むことを特徴とする電子素子。
【手続補正２】
【補正対象書類名】明細書
【補正対象項目名】０１８９
【補正方法】変更
【補正の内容】
【０１８９】
明確さのために、個別の実施形態コンテクスト中に、以上および以下に記載した本発明の一定の特色はまた、単一の実施形態中に組み合わせて提供され得ると認識されるべきである。反対に、簡潔さのために、単一の実施形態のコンテクスト中に記載された本発明の種々の特色はまた、個別にまたはいずれかのサブコンビネーションで提供され得る。さらに、範囲で規定された値に対する言及は、その範囲内の各およびすべての値を含む。
本発明は以下の実施の態様を含むものである。
１．導電性ナノ粒子および、（ａ）フッ素化酸ポリマーと（ｂ）フッ素化酸ポリマーでドープされた半導体ポリマーとの少なくとも一方を含み、４．７ｅＶを超える仕事関数を有することを特徴とする透明コンダクタ。
２．ナノ粒子が、炭素および金属ナノ粒子およびこれらの組み合わせから選択されることを特徴とする前記１に記載の透明コンダクタ。
３．ナノ粒子が、ナノチューブ、フラーレン、およびナノファイバー、およびこれらの組み合わせから選択されることを特徴とする前記２に記載の透明コンダクタ。
４．各半導体ポリマーが、チオフェン、ピロール、アニリン、縮合多環式ヘテロ芳香族、および多環式ヘテロ芳香族から選択される１つまたは複数の、独立に置換または非置換のモノマーを含むことを特徴とする前記１に記載の透明コンダクタ。
５．チオフェンが式Ｉおよび式Ｉａ：
【化１】
2008547185.tif 000001
（式中、
Ｒ１は、独立に、それぞれの場合に同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；または両方のＲ１基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよい）
【化２】
2008547185.tif 000002
（式中、
Ｒ７は、それぞれの場合に同一または異なると共に、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、エステルスルホネート、およびウレタンから選択され、ただし、少なくとも１つのＲ７は水素ではなく、および
ｍは２または３である）
から選択される式によって表される構造を有することを特徴とする前記４に記載の透明コンダクタ。
６．ピロールが式ＩＩ：
【化３】
2008547185.tif 000003
（式中、
Ｒ１は、独立に、それぞれの場合に同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、アミドスルホネート、エーテルカルボキシレート、エーテルスルホネート、エステルスルホネート、およびウレタンから選択され；または両方のＲ１基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよく；および
Ｒ２は、独立に、それぞれの場合に同一または異なるよう選択されると共に、水素、アルキル、アルケニル、アリール、アルカノイル、アルキルチオアルキル、アルキルアリール、アリールアルキル、アミノ、エポキシ、シラン、シロキサン、アルコール、ベンジル、カルボキシレート、エーテル、エーテルカルボキシレート、エーテルスルホネート、エステルスルホネート、およびウレタンから選択される）
によって表される構造を有することを特徴とする前記４に記載の透明コンダクタ。
７．アニリンが、式ＩＩＩ、式ＩＶａ、および式ＩＶｂ：
【化４】
2008547185.tif 000004
（式中、
ａは０または１〜４の整数であり；
ｂは１〜５の整数であり、ただし、ａ＋ｂ＝５であり；および
Ｒ１は、独立に、それぞれの場合に同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；または両方のＲ１基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよい）；
【化５】
2008547185.tif 000005
（式中、ａ、ｂおよびＲ１は上に定義されているとおりである）
から選択される式によって表される構造を有することを特徴とする前記４に記載の透明コンダクタ。
８．縮合多環式ヘテロ芳香族が、式Ｖ、および式Ｖａ〜Ｖｇ：
【化６】
2008547185.tif 000006
（式中、
ＱはＳまたはＮＲ６であり；
Ｒ６は水素またはアルキルであり；
Ｒ８、Ｒ９、Ｒ１０、およびＲ１１は、独立に、それぞれの場合に同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；および
Ｒ８およびＲ９、Ｒ９およびＲ１０、ならびにＲ１０およびＲ１１のうちの少なくとも１つは一緒になって、任意選択的に１つまたは複数の二価の窒素、硫黄または酸素原子を含んでもよい５または６員芳香族環を完成させるアルケニレン鎖を形成する）；
【化７】
2008547185.tif 000007
（式中、
ＱはＳまたはＮＨであり；および
Ｔは、それぞれの場合に同一または異なると共に、Ｓ、ＮＲ６、Ｏ、ＳｉＲ６２、Ｓｅ、およびＰＲ６から選択され；
Ｒ６は水素またはアルキルである）
から選択される式によって表される構造を有することを特徴とする前記４に記載の透明コンダクタ。
９．多環式ヘテロ芳香族が式ＶＩ：
【化８】
2008547185.tif 000008
（式中、
ＱはＳまたはＮＲ６であり；
Ｔは、Ｓ、ＮＲ６、Ｏ、ＳｉＲ６２、Ｓｅ、およびＰＲ６から選択され；
Ｅは、アルケニレン、アリーレン、およびヘテロアリーレンから選択され；
Ｒ６は水素またはアルキルであり；
Ｒ１２は、それぞれの場合に同一または異なると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；または２つのＲ１２基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよい）
によって表される構造を有することを特徴とする前記４に記載の透明コンダクタ。
１０．フッ素化酸ポリマーが、ポリオレフィン、ポリアクリレート、ポリメタクリレート、ポリイミド、ポリアミド、ポリアラミド、ポリアクリルアミド、ポリスチレン、およびこれらのコポリマーから選択される主鎖を有することを特徴とする前記１に記載の透明コンダクタ。
１１．フッ素化酸ポリマー主鎖がフッ素化されていることを特徴とする前記１０に記載の透明コンダクタ。
１２．フッ素化酸ポリマーが、エーテルスルホネート、エステルスルホネート、およびエーテルスルホンイミドから選択されるフッ素化側基を有することを特徴とする前記１１に記載の透明コンダクタ。
１３．フッ素化酸ポリマーが、スチレンスルホン酸またはスルホン化エーテルスルホン、トリフルオロスチレンスルホネート、スルホンイミド、パーフルオロアルキルスルホネートエーテル、縮合多環式フッ素化酸、およびパーフルオロアルキルスルホン酸エーテルから選択される１つまたは複数の、独立に置換または非置換のモノマーを含むことを特徴とする前記１０に記載の透明コンダクタ。
１４．スチレンスルホン酸またはスルホン化エーテルスルホンが、式ＶＩＩ：
【化９】
2008547185.tif 000009
（式中、
ｂは１〜５の整数であり、
Ｒ１３はＯＨまたはＮＨＲ１４であり、および
Ｒ１４は、アルキル、フルオロアルキル、スルホニルアルキル、またはスルホニルフルオロアルキルである）
によって表される構造を有することを特徴とする前記１３に記載の透明コンダクタ。
１５．トリフルオロスチレンスルホネートが、式ＶＩＩＩ：
【化１０】
2008547185.tif 000010
（式中、
Ｗは、（ＣＦ２）ｑ、Ｏ（ＣＦ２）ｑ、Ｓ（ＣＦ２）ｑ、（ＣＦ２）ｑＯ（ＣＦ２）ｒ、およびＳＯ２（ＣＦ２）ｑから選択され、
ｂは独立に１〜５の整数であり、
Ｒ１３はＯＨまたはＮＨＲ１４であり、および
Ｒ１４は、アルキル、フルオロアルキル、スルホニルアルキル、またはスルホニルフルオロアルキルである）
によって表される構造を有することを特徴とする前記１３に記載の透明コンダクタ。
一実施形態において、Ｓ（ＣＦ２）ｑに等しいＷを含有するモノマーは重合され、次いで酸化されて、ＳＯ２（ＣＦ２）ｑに等しいＷを含有するポリマーを与える。
１６．スルホンイミドが、式ＩＸ：
【化１１】
2008547185.tif 000011
（式中、
Ｒｆは、フッ素化アルキレン、フッ素化ヘテロアルキレン、フッ素化アリーレン、またはフッ素化ヘテロアリーレンから選択され；
Ｒｇは、フッ素化アルキレン、フッ素化ヘテロアルキレン、フッ素化アリーレン、フッ素化ヘテロアリーレン、アリーレン、またはヘテロアリーレンから選択され；および
ｎは少なくとも４である）
によって表される構造を有することを特徴とする前記１３に記載の透明コンダクタ。
１７．パーフルオロアルキルスルホネートエーテルが、式ＸＩ：
【化１２】
2008547185.tif 000012
（式中、
Ｒ１６は、フッ素化アルキルまたはフッ素化アリール基であり；
ａ、ｂ、ｃ、ｄ、およびｅは、各々独立に０または１〜４の整数であり；および
ｎは少なくとも４である）
によって表される構造を有することを特徴とする前記１３に記載の透明コンダクタ。
１８．縮合多環式フッ素化酸が、式ＸＩＩおよび式ＸＩＩａ〜ＸＩＩｄ：
【化１３】
2008547185.tif 000013
（式中、ｄは０、１、または２であり；
Ｒ１７〜Ｒ２０は、独立にＨ、ハロゲン、１〜１０個の炭素原子のアルキルまたはアルコキシ、Ｙ、Ｃ（Ｒｆ’）（Ｒｆ’）ＯＲ２１、Ｒ４ＹまたはＯＲ４Ｙであり；
Ｙは、ＣＯＥ２、ＳＯ２Ｅ２、またはスルホンイミドであり；
Ｒ２１は、水素または酸解離性保護基であり；
Ｒｆ’は、それぞれの場合に同一または異なると共に、１〜１０個の炭素原子のフルオロアルキル基であり、または合一して（ＣＦ２）ｅ（式中、ｅは２〜１０である）であり；
Ｒ４はアルキレン基であり；
Ｅ２は、ＯＨ、ハロゲン、またはＯＲ７であり；および
Ｒ５はアルキル基であり；
ただし、Ｒ１７〜Ｒ２０の少なくとも１つがＹ、Ｒ４ＹまたはＯＲ４Ｙであり、
Ｒ４、Ｒ５、およびＲ１７〜Ｒ２０は、任意選択的に、ハロゲンまたはエーテル酸素によって置換されていてもよい）；
【化１４】
2008547185.tif 000014
（式中、Ｒ２１は、第３級カチオン、より典型的には１〜２０個の炭素原子のアルキル基、および最も典型的にはｔ−ｇブチルを形成する、またはそれらに転位することができる基である）
から選択される式によって表される構造を有することを特徴とする前記１３に記載の透明コンダクタ。
１９．パーフルオロアルキルスルホン酸エーテルが、式ＸＶ：
【化１５】
2008547185.tif 000015
（式中、ｊ≧０、ｋ≧０および４≦（ｊ＋ｋ）≦１９９であり、Ｑ１およびＱ２はＦまたはＨであり、Ｒｆ２は、Ｆまたは、１〜１０個の炭素原子を有する、非置換であるか、または１つまたは複数のエーテル酸素原子によって置換されているパーフルオロアルキル基であり、ｈ＝０または１であり、ｉ＝０〜３であり、ｇ＝０または１であり、およびＥ４は、Ｈまたはアルカリ金属である）
によって表される構造を有することを特徴とする前記１３に記載の透明コンダクタ。
２０．フッ素化酸ポリマーが、カルボン酸、スルホン酸、リン酸、およびホスホン酸基およびスルホンイミド、ならびにこれらの組み合わせから選択される官能基を含む高分子酸を含むことを特徴とする前記１に記載の透明コンダクタ。
２１．官能基が、高分子主鎖、側鎖、側基、またはこれらの組み合わせに存在することを特徴とする前記２０に記載の透明コンダクタ。
２２．側基が、シロキサンスルホン酸を含むことを特徴とする前記２１に記載の透明コンダクタ。
２３．側基が、式ＸＩＶおよび式ＸＶによって表される構造から選択される基を含むことを特徴とする前記２１に記載の透明コンダクタ。
２４．フッ素化酸ポリマーがコロイド形成性高分子酸であることを特徴とする前記２０に記載の透明コンダクタ。
２５．フッ素化酸ポリマーがＦＳＡポリマーを含むことを特徴とする前記２４に記載の透明コンダクタ。
２６．アルケニル、アルキニル、アリーレン、およびヘテロアリーレンから選択される１つまたは複数の、独立に置換または非置換のモノマーを含む第２のポリマーをさらに含むことを特徴とする前記１に記載の透明コンダクタ。
２７．独立に置換または非置換のモノマーが、フルオレン、オキサジアゾール、チアジアゾール、ベンゾチアジアゾール、フェニレンビニレン、フェニレンエチニレン、ピリジン、ジアジン、およびトリアジンから選択されることを特徴とする前記２６に記載の透明コンダクタ。
２８．導電性ナノ粒子および、（ａ）フッ素化酸ポリマーと（ｂ）非フッ素化高分子酸でドープされた半導体ポリマーとの少なくとも一方を含み、４．７ｅＶを超える仕事関数を有することを特徴とする透明コンダクタ。
２９．ドープ導電性ポリマーが高分子スルホン酸を含むことを特徴とする前記１に記載の透明コンダクタ。
３０．前記１に記載の透明コンダクタを含むことを特徴とする電子素子。